(57)【要約】【課題】本体側のポート部にそのまま適用可能であり、密封特性の向上を図る。【解決手段】筒状ポート部１２０の先端開口縁１２２が突き当たる蓋体部２の内面２Ａに筒状ポート部１２０の外周部１２３を挟み込む内周係合部１３４と外周係合部１３５と頂点部が先端開口縁１２２と線接触状態で突き当たる突当て凸部７を一体に形成し、筒状ポート部１２０が嵌合する嵌合孔４を有する外周筒部３の開口部３Ａの内面に筒状ポート部１２０側の抜止め凸部１２４と相対係合する係止凸部１２及び開口部３Ａに拡径特性と弾性力蓄勢特性を付与するスリット１３を形成する。【選択図】図６
2011160926.tif 000002
【特許請求の範囲】
【請求項１】
内部を貫通する嵌合孔を形成した外周筒部と、前記嵌合孔の一端側を閉塞して前記外周筒部と一体に形成した蓋体部とからなり、前記嵌合孔内に本体側に設けた筒状ポート部を嵌合して被冠することにより、前記筒状ポート部を密封する合成樹脂製の密封キャップ体であり、
前記蓋体部には、前記嵌合孔内に嵌合された前記筒状ポート部の先端開口縁が突き当たる内面に、前記筒状ポート部に形成した流路内に嵌合する内周係合部と、この内周係合部を取り囲んで同心円をなして形成され前記筒状ポート部の外周部に係合する外周係合部と、前記内周係合部と前記外周係合部との間の環状領域に位置して突出形成されたリング状の凸部からなり頂点部が前記筒状ポート部の前記先端開口縁に全周に亘って突き当たる突当て凸部が形成され、
前記外周筒部には、開口縁の内面に前記筒状ポート部の外周部に形成した係合凸部と相対係合する係止凸部を有する抜止め部と、前記係止凸部と開口縁部位に拡径特性と弾性力の蓄勢特性を付与する前記開口縁に開放された軸方向の複数のスリットが形成され、
前記筒状ポート部に被冠した状態で、先端開口縁に対して前記突当て凸部の頂点部が全周に亘って突き当ることにより前記筒状ポート部を密封する密封キャップ体。
【請求項２】
前記本体側に設けた筒状ポート部が、透析治療用のダイアライザーの透析液ポートや血液ポートであり、透析治療に際して取り外される請求項１に記載の密封キャップ体。
【請求項３】
前記蓋体部の内面に形成したリング状の突当て凸部は、前記筒状ポート部の前記先端開口縁が突き当たる前記頂点部が円弧状の断面形状を有して形成される請求項１又は２に記載の密封キャップ体。
【発明の詳細な説明】
【技術分野】
【０００１】
本発明は、本体側の筒状ポート部に着脱され、ポート部を被冠した装着状態において筒状ポート部を密封する合成樹脂製の密封キャップ体に関し、特に透析治療用のダイアライザーの透析液ポートや血液ポートに着脱されて透析容器を保護するキャップ体として好適に用いられる密封キャップ体の構造に関する。
【背景技術】
【０００２】
透析治療は、患者の動脈から取り出した血液から透析装置により老廃物や過剰水分を除去して静脈を経由して再び体内へと戻す治療法である。透析装置１００は、図７に示すように患者の体内から動脈血を取り出す血液ポンプ１０１と、半透膜を介して血液中の老廃物等を透析液中に透析するダイアライザー（透析容器）１０２と、ダイアライザー１０２に透析液を供給するとともに透析液中から不純物等を除去して循環させる不純物回収除去装置１０３等から構成される。
ダイアライザー１０２としては、一般に容器本体の内部に多数本の中空糸を束ねて収納した中空糸（ホローファイバー）型ダイアライザーが用いられている。ダイアライザー１０２は、容器本体の内部に透析液を流すとともに容器本体の内部に収納したセルロース系や高分子合成樹脂系の素材により中空体として形成した中空糸内に血液を流す。ダイアライザー１０２は、中空糸が血液成分を透過させない半透膜機能を奏し、血液中から不純物を透析液中に取り出すようにする。
ダイアライザー１０２は、図８に示すようにガラスや合成樹脂材により両端部を開口して内部に上述した中空糸１０４を収納した円筒形状の容器本体１０５と、この容器本体１０５の一端側の開口部を密封するとともに血液を流入させる血液流入ポート部１０７が形成された第１開口キャップ体１０６と、容器本体１０５の他端側の開口部を密封するとともに血液を流出させる血液流出ポート部１０９が形成された第２開口キャップ体１０８とを有する。容器本体１０５には、一端側の近傍に位置して透析液を流入させる透析液流入ポート部１１０が一体に形成されるとともに、他端側の近傍に位置して透析液を流出させる透析液流出ポート部１１１が一体に形成される。
ダイアライザー１０２には、容器本体１０５内への異物等の侵入防止或いは各ポート部の破損防止や清浄状態の保持等を目的として、第１ポートキャップ体１１２乃至第４ポートキャップ体１１５が装着される。第１ポートキャップ体１１２乃至第４ポートキャップ体１１５は、例えば合成樹脂材により形成され、透析治療を行う際に各ポート部から取り外される。第１ポートキャップ体１１２乃至第４ポートキャップ体１１５は、透析治療の終了後に容器本体１０５内の洗浄等を行う際には再び各ポート部に装着される。第１ポートキャップ体１１２乃至第４ポートキャップ体１１５は、相対する各ポート部の形状にそれぞれ適合して形成されるが、基本的な構成を同様とするものとして以下図９を参照して説明する。
【０００３】
ポート部１２０は、各部毎に詳細形状をやや異にするが、基端側を容器本体１０５や第１開口キャップ体１０６或いは第２開口キャップ体１０８と一体化されて突出され、長さ方向に貫通して血液や透析液が流れる流路１２１を有する筒状部位からなる。ポート部１２０には、先端開口縁１２２から所定位置の外周部１２３に所定の突出量を有する抜止め凸部１２４が一体に形成されている。ポート部１２０は、先端開口縁１２２側からポートキャップ体１３０を装着することにより流路１２１が閉塞されて清浄状態を保持されるとともに、全体が機械的外因から保護される。
ポートキャップ体１３０は、合成樹脂材を素材とし、円板状の蓋体部１３１と、この蓋体部１３１の外周縁に沿って一体に形成された外周筒部１３２とにより、内部に蓋体部１３１によって一端側が閉塞された有底の嵌合孔１３３を構成した円筒形の部材からなる。ポートキャップ体１３０は、嵌合孔１３３がポート部１２０の外径とほぼ等しい内径を有しており、ポート部１２０に対してその先端開口縁１２２側から装着される。ポートキャップ体１３０は、ポート部１２０に装着した状態において、図９に示すように蓋体部１３１の内面１３１Ａに先端開口縁１２２が突き当てられて流路１２１を閉塞する。
ポートキャップ体１３０には、蓋体部１３１と外周筒部１３２に、ポート部１２０に対して簡易な操作により着脱が行われるとともに装着した状態が保持されるようにする保持構造が一体に形成される。保持構造は、蓋体部１３１の内面１３１Ａに形成した内周係合部１３４及び外周係合部１３５と、外周筒部１３２の開口縁の内面に形成した抜止め部１３６とから構成される。保持構造は、内周係合部１３４と外周係合部１３５が、蓋体部１３１の中心から内径を異にする同心円上に位置して一体に形成される。
【０００４】
内周係合部１３４は、蓋体部１３１の内面１３１Ａに、ポート部１２０の流路１２１とほぼ同径の円周上に位置して一体に形成された複数個の立壁片部からなる。内周係合部１３４は、ポート部１２０に対してポートキャップ体１３０を装着した状態において、各立壁片部が流路１２１内にやや収斂した圧入状態で係合する。内周係合部１３４は、各立壁片部がポート部１２０の外周部１２３に対して内側から弾性力を作用させる。
外周係合部１３５は、蓋体部１３１の内面１３１Ａに、ポート部１２０の先端開口縁１２２の外径とほぼ同径の円周上に位置して一体に形成された複数個の立壁片部からなる。外周係合部１３５は、ポート部１２０に対してポートキャップ体１３０を装着した状態において、各立壁片部が外周部１２３の先端開口縁１２２に圧入状態で係合する。外周係合部１３５は、各立壁片部が内周係合部１３４からの弾性力を作用されたポート部１２０の外周部１２３を内周係合部１３４との間で挟み込むことにより、ポート部１２０に対するポートキャップ体１３０の装着状態が保持されるようにする。
抜止め部１３６は、外周筒部１３２の開口縁部位を大径として内面側に全周に亘って係合凹部１３６Ａを形成するとともに、この係合凹部１３６Ａの一部に複数個の係合凸部１３６Ｂを一体に形成してなる。抜止め部１３６は、ポート部１２０に対してポートキャップ体１３０を装着した状態において、ポート部１２０側の抜止め凸部１２４と相対して外周筒部１３２に形成される。抜止め部１３６は、係合凹部１３６Ａが抜止め凸部１２４の突出量とほぼ同等の深さを以って形成される。
【０００５】
ポートキャップ体１３０は、ポート部１２０に対して、その先端開口縁１２２側から外周部１２３を嵌合孔１３３内に嵌合させることにより装着される。ポートキャップ体１３０は、ポート部１２０に対して押込み操作することにより内周係合部１３４の各立壁片部が流路１２１内にやや収斂した圧入状態で係合し、さらにさらに押込み操作することにより外周係合部１３５の各立壁片部が外周部１２３の先端開口縁１２２に圧入状態で係合する。
ポートキャップ体１３０は、ポート部１２０に対して、その先端開口縁１２２が蓋体部１３１の内面１３１Ａに突き当たった状態で、抜止め部１３６がポート部１２０側の抜止め凸部１２４と相対係合する。ポートキャップ体１３０は、ポート部１２０に対して、抜止め部１３６の係合凹部１３６Ａに抜止め凸部１２４を相対係合させて押し込むとともに、その状態で全体を回動操作することによって係止凸部１３６Ｂが抜止め凸部１２４の底面側に回り込むことにより先端開口縁１２２を係止する。ポートキャップ体１３０は、これによりポート部１２０に装着するとともにこの装着した状態が保持され、上述したポート部１２０に対する保護作用等が確実に奏されるようにする。
ポートキャップ体１３０は、上述した透析装置１００のダイアライザー１０２に用いられ、このダイアライザー１０２を所定位置にセットした状態で各ポート部からの取外し操作が行われる。ポートキャップ体１３０は、ポート部１２０に対して、全体を回動操作して強く引抜き操作することにより、取り外しが行われる。
なお、中空糸型ダイアライザーを用いる透析装置については、例えば特許文献１や特許文献２に記載されている。また、中空糸型ダイアライザーについては、例えば特許文献３や特許文献４に記載されている。さらに、ポート部に着脱するポートキャップ体については、特許文献５に記載されている。
【先行技術文献】
【特許文献】
【０００６】
【特許文献１】特開平５−３２９２０５号公報
【特許文献２】特許第３９３１３１５号公報
【特許文献３】特公平４−４７５８２号公報
【特許文献４】特開平９−２１５７４８号公報
【特許文献５】実公平６−７７１９号公報
【発明の概要】
【発明が解決しようとする課題】
【０００７】
上述した従来のポートキャップ体１３０においては、ポート部１２０に対する高密封性を作用させるために、蓋体部１３１の内面１３１Ａに対して先端開口縁１２２が全周に亘って均一な状態で突き当てられるようにして装着される必要がある。ポートキャップ体１３０は、このために精密な成形金型によってポート部１２０側の相対して係合する部位を高寸法精度を以って形成されるために、高コストとなるといった問題があった。ポートキャップ体１３０は、ポート部１２０側との寸法のバラツキや組合せ精度のバラツキ等により、蓋体部１３１の内面１３１Ａとポート部１２０の先端開口縁１２２との間に微小な隙間が生じて密封性が低下するといった問題があった。
本発明は、例えば透析治療用のダイアライザーの透析液ポートや血液ポートに装着されて透析容器を保護するキャップ体として好適に用いられる密封キャップ体であり、基本的な構成を従来品と同等として本体側のポート部にそのまま適用可能であり、密封特性の向上を図る密封キャップ体を提供することを目的とする。
【課題を解決するための手段】
【０００８】
上述した目的を達成する本発明に係る密封キャップ体は、内部を貫通する嵌合孔を形成した外周筒部と、この外周筒部の一方側に嵌合孔を閉塞して一体に形成した蓋体部とからなり、本体側に設けた筒状ポート部、例えば透析治療用のダイアライザー等に設けた透析液ポートや血液ポートに嵌合して装着することにより密封する。密封キャップ体は、蓋体部に、外周筒部の嵌合孔内に嵌合された筒状ポート部の先端開口縁が突き当たる内面に、筒状ポート部の流路内に嵌合する内周係合部と、この内周係合部を取り囲んで同心円をなして形成され筒状ポート部の外周部に係合する外周係合部と、内周係合部と外周係合部との間の環状領域に位置して突出形成されたリング状の凸部からなり頂点部が筒状ポート部の先端開口縁に全周に亘って突き当たる突当て凸部が形成される。密封キャップ体は、外周筒部に、開口縁の内面に筒状ポート部の外周部に形成した抜止め凸部と相対係合する係止凸部を有する抜止め部と、係止凸部と開口縁部位に拡径特性と弾性力の蓄勢特性を付与する開口縁に開放された軸方向の複数のスリットが形成される。
密封キャップ体は、筒状ポート部に対してその先端側に嵌合孔の開口を嵌合して押込み操作が行われる。密封キャップ体は、筒状ポート部に対して押込み操作を行うにしたがって、内周係合部が筒状ポート部の流路の開口に相対して流路内を次第にその奥に向かって進入する。密封キャップ体は、筒状ポート部に対して押込み操作を行うにしたがって、外周係合部が筒状ポート部の外周部の先端に相対して外周部に沿って進入する。密封キャップ体は、筒状ポート部に対して外周部の先端開口縁が蓋体部の内面に突き当たるまで押込み操作されると、蓋体部の内面に形成した突当て凸部が先端開口縁と突き当たる。密封キャップ体は、内周係合部と外周係合部により筒状ポート部の外周部を厚み方向に挟み込むとともに、突当て凸部の頂点部が筒状ポート部の先端開口縁と突き当たった状態で、筒状ポート部に装着される。
【０００９】
密封キャップ体は、筒状ポート部に対してその先端開口縁が蓋体部の内面に突き当たるまで押込み操作される際に、外周筒部の開口縁の内面に形成した抜止め部の係止凸部が筒状ポート部の外周部に形成した抜止め凸部間を通過する。密封キャップ体は、筒状ポート部に対して外周部の先端開口縁が蓋体部の内面に突き当たるまで押込み操作されると、所定角度の回動操作が行われる。密封キャップ体は、これにより係止凸部が抜止め凸部の底面側に回り込んで抜け方向に対して係止される。密封キャップ体は、係止凸部を大きな突出量を以って形成することにより抜止め凸部と大きな重ね合わせ代を確保して筒状ポート部に対する装着状態が確実に保持する。密封キャップ体は、大きな突出量の係止凸部を形成することにより嵌合孔が小径となる開口縁部位が、スリットを形成したことにより弾性変形して拡径することが可能である。
密封キャップ体は、蓋体部の内面に形成した突当て凸部が、筒状ポート部の先端開口縁に対して全周に亘って頂点部で突き当たるいわゆる線接触の状態で筒状ポート部に装着される。密封キャップ体は、外周筒部の開口縁部位に蓄勢された弾性力が係止凸部を介して筒状ポート部に対してその先端開口縁を蓋体部の内面側に押し付ける軸方向の力として作用する。密封キャップ体は、突当て凸部と先端開口縁が、線接触状態の突き当てと弾性力の作用により確実に保持されて筒状ポート部を密封する。
【発明の効果】
【００１０】
以上のように構成された本発明に係る密封キャップ体は、筒状ポート部の先端開口縁が突き当たる蓋体部の内面に筒状ポート部の外周部を挟み込む内周係合部及び外周係合部を形成するとともに内周係合部と外周係合部との間に頂点部が先端開口縁と線接触状態で突き当たる突当て凸部を一体に形成し、筒状ポート部が嵌合する嵌合孔を有する外周筒部の開口部の内面に筒状ポート部側の抜止め凸部と相対係合する係止凸部に拡径特性と弾性力の蓄勢特性を付与するスリットを形成してなる。密封キャップ体は、蓋体部と外周筒部に形成した上述した保持構造により、筒状ポート部の構造を変えることなくこの筒状ポート部に対して簡易な操作により組み付けられるとともに、筒状ポート部を被冠した状態が確実に保持することが可能である。密封キャップ体は、突当て凸部が筒状ポート部の先端開口縁に対して頂点部が線接触状態で突き当たることにより、筒状ポート部の密封状態をより確実に保持することが可能である。
【図面の簡単な説明】
【００１１】
【図１】本発明に係る密封キャップ体の実施の形態として示すポートキャップ体の正面図である。
【図２】同ポートキャップ体の断面図である。
【図３】同ポートキャップ体の蓋体部の構成を示す要部断面図である。
【図４】同ポートキャップ体の外周筒部の構成を示す要部断面図である。
【図５】同外周筒部の開口縁の構成を示す要部底面図である。
【図６】同ポートキャップ体をポート部に被冠した状態の断面図である。
【図７】透析装置の回路図である。
【図８】透析装置に用いられるダイアライザーの一部切り欠き側面図である。
【図９】ポートキャップ体をポート部に被冠した状態の断面図である。
【発明を実施するための形態】
【００１２】
以下、本発明の実施の形態として図面に示したポートキャップ体１について詳細に説明する。ポートキャップ体１も、上述したポートキャップ体１３０と同様に、透析治療に用いるダイアライザー１０２に設けたポート部１２０、すなわち容器本体１０５に一体に形成した血液流入ポート部１０７や血液流出ポート部１０９或いは第１開口キャップ体１０６や第２開口キャップ体１０８に形成した透析液流入ポート部１１０や透析液流出ポート部１１１に被冠してこれを密封する。なお、ポートキャップ体１は、かかる用途に限定されず、各種の筒状部材の開口部を被冠してこれを密封する各種の密封キャップ体にも適用されることが可能である。
ポートキャップ体１は、従来のポートキャップ体１３０が被冠される上述したポート部１２０に対して、その構造を変えることなく従来のポートキャップ体１３０に代えて用いられ、その開口側に被冠されることにより内部の流路１２１を密封して清浄状態に保持するとともに機械的外因から保護する。ポートキャップ体１は、透析治療に際してダイアライザー１０２を所定位置にセットした状態で、各ポート部からの取外し操作が行われる。ポートキャップ体１は、透析治療を終えて透析回路を取り外した容器本体１０５のポート部１２０に再装着される。ポートキャップ体１は、後述する構造により再装着した状態でもポート部１２０の密封特性が保持される。
【００１３】
ポート部１２０は、図６に示すように内部を貫通する流路１２１を有する筒状部位からなり、ポートキャップ体１が被冠されることにより流路１２１を密封される。ポート部１２０は、後述するように被冠されるポートキャップ体１の蓋体部２の内面２Ａに、先端開口縁１２２が突き当てられることにより流路１２１が密封される。ポート部１２０には、先端開口縁１２２から所定位置の外周部１２３に一対の抜止め凸部１２４が一体に形成されている。抜止め凸部１２４は、中心対称の位置に、円周方向に所定の長さを有する円弧状の凸部として外周部１２３に一体に形成される。
ポート部１２０には、図６に示すように先端部位１２５がやや薄肉に形成されるとともにその内面に周回りの係合段部１２５Ａが形成される。ポート部１２０には、外周部１２３に１個又は数個の周回りの接続用係合凹部１２６が形成されている。ポート部１２０は、透析治療に際してポートキャップ体１が取り外されて透析回路が接続されるが、上述した各部が透析回路の接続部位として作用する。
【００１４】
ポートキャップ体１は、例えばスチレン系、ポリオレフィン系、ポリエステル系、ポリウレタン系等のエラストマー合成樹脂や合成ゴム等を素材として形成される。ポートキャップ体１も、図１及び図２に示すように、円板状の蓋体部２と、この蓋体部２の外周縁に沿って一体に形成された外周筒部３とからなり、外周筒部３の内部に蓋体部２によって一端側が閉塞された有底の嵌合孔４を構成した円筒形の部材からなる。ポートキャップ体１は、ポート部１２０よりもやや長軸体であり、嵌合孔４がポート部１２０の外径とほぼ等しい内径を有している。
ポートキャップ体１は、図６を参照して詳細を後述するがポート部１２０に対して、嵌合孔４内に外周部１２３をその先端側から嵌合して先端開口縁１２２が蓋体部２の内面２Ａに突き当たるまで押し込んで組み付けることによりポート部１２０を被冠して流路１２１を閉塞する。ポートキャップ体１にも、ポート部１２０に対して簡易な操作により着脱が行われるとともに、ポート部１２０を被冠した状態においてこのポート部１２０の所定部位と共同して被冠状態が確実に保持されるようにする保持構造が一体に形成される。
ポートキャップ体１は、図２に示すように、保持構造が蓋体部２の内面２Ａに形成した第１の保持構造（蓋体部保持構造）５と、外周筒部３の開口部３Ａの内面に形成した第２の保持構造（外周筒部保持構造）６とから構成される。また、ポートキャップ体１は、蓋体部２の内面２Ａに詳細を後述する突当て凸部７を一体に形成し、この突当て凸部７によりポート部１２０を被冠した状態において密封特性の向上が図られるようにする。
ポートキャップ体１は、第１の保持構造５によりポート部１２０の外周部１２３の先端部位を保持し、第２の保持構造６がポート部１２０の外周部１２３に形成した抜止め凸部１２４と相対係合してポート部１２０からの脱落が防止されるように作用する。第１の保持構造５は、蓋体部２の内面２Ａに、蓋体部２の中心から内径を異にする同心円上に位置して一体に形成された内周係合部８及び外周係合部９とから構成される。
【００１５】
内周係合部８は、蓋体部２の内面２Ａに、ポート部１２０の流路１２１とほぼ同径の円周上に位置して一体に立設した複数個の立壁片部からなる。内周係合部８は、図２及び図３に示すようにやや大きな厚みを有する基部８Ａと、この基部８Ａの所定高さ位置において外周部が流路１２１の内径よりもやや大径となるように次第に厚みを大きくして形成された部位からなる係合部８Ｂと、この係合部８Ｂから外周部が流路１２１の内径よりもやや大径であるが次第に厚みを小さくして形成された部位からなる弾性変位部８Ｃとから構成される。
内周係合部８は、ポートキャップ体１をポート部１２０に対して、外周部１２３の先端から嵌合孔４に嵌合して押込み操作を行うことにより、弾性変位部８Ｃをガイドとして流路１２１内へと進入する。内周係合部８は、流路１２１内に進入するにしたがって弾性変位部８Ｃが次第に収斂することにより圧入状態で係合する。内周係合部８は、ポート部１２０の先端開口縁１２２が蓋体部２の内面２Ａに突き当たった状態において、係合部８Ｂがポート部１２０の係合段部１２５Ａと相対係合する。内周係合部８は、図６矢印ａで示すように係合部８Ｂと係合段部１２５Ａの係合状態が弾性変位部８Ｃに蓄勢された弾性力により保持されるとともに、ポート部１２０の先端部位１２５に対して内側から弾性力を作用させる。
【００１６】
外周係合部９は、図２及び図３に示すように蓋体部２の内面２Ａに、ポート部１２０の先端開口縁１２２の外径とほぼ同径の環状立壁部からなる。外周係合部９は、内周係合部８の基部８Ａとほぼ同等の高さを有するとともに、やや大きな厚みを有して形成される。外周係合部９は、ポートキャップ体１をポート部１２０に対して、外周部１２３の先端から嵌合孔４に嵌合して押込み操作を行うことにより、ポート部１２０の先端部位１２５の外周に嵌合する。外周係合部９は、上述した弾性変位部８Ｃを介して内側から弾性力を作用されるポート部１２０の先端部位１２５を内周係合部８との間で挟み込んでポート部１２０に対するポートキャップ体１の装着状態が保持されるようにする。
突当て凸部７は、図２及び図３に示すように蓋体部２の内面２Ａに、内周係合部８と外周係合部９との間の構成される環状領域１０に位置して一体に突出形成される。突当て凸部７は、小さな厚みと突出量を以って形成されたリブ状の凸部であり、頂点部が円弧状に形成される。突当て凸部７は、ポートキャップ体１をポート部１２０に装着した状態において、ポート部１２０の先端開口縁１２２に全周に亘って突き当たる。
突当て凸部７は、円弧状の頂点部の構成により、ポート部１２０の先端開口縁１２２に対していわゆる線接触の状態で全周に亘って突き当たる。突当て凸部７は、小さなリブ状凸部の構成により、ポート部１２０の先端開口縁１２２に対して頂点部が部分的にやや押し潰された状態で突き当たることも可能である。突当て凸部７は、上述した保持構造とともに後述する開口部３Ａ側に形成した係止凸部１２を介して作用される軸方向の弾性力により、ポート部１２０の先端開口縁１２２との突当て状態が確実に保持される。突当て凸部７は、ポート部１２０の先端開口縁１２２に対して線接触状態の突当て構造とすることにより、従来の面接触状態の突当て構造と比較して隙間等の発生を低減し、ポートキャップ体１の各部の寸法精度を緩和する。
【００１７】
ポートキャップ体１は、第２の保持構造６により、ポート部１２０の外周部１２３の基端側部位を保持して脱落の防止が図られるとともに上述した第１の保持構造５側に弾性力を作用させる。第２の保持構造６は、外周筒部３の開口部３Ａに対応する部位を肉厚部３Ｂとし、この肉厚部３Ｂの内面に形成した係合凹部１１と係止凸部１２からなる抜止め部により構成する。また、第２の保持構造６は、肉厚部３Ｂに拡径特性と弾性力の蓄勢特性を付与する、開口縁に開放されて形成した軸方向の複数のスリット１３により構成する。
第２の保持構造６は、肉厚部３Ｂが外周筒部３の開口部３Ａに対向して外方に突出する環状凸部からなり、蓋体部２に対して、ポート部１２０の先端開口縁１２２から抜止め凸部１２４の間隔とほぼ等しい高さ位置において形成する。肉厚部３Ｂには、図４及び図５に示すように、内周面を全周に亘って小さな厚みとなるように係合凹部１１が形成されるとともに、開口縁から円周方向に適宜の間隔を以って係合凹部１１内に突出するようにして複数の係止凸部１２が形成されている。肉厚部３Ｂには、開口縁に開放された複数のスリット１３が円周方向に適宜の間隔を以って形成される。
第２の保持構造６は、肉厚部３Ｂの内面に係合凹部１１を、外周筒部３の開口部３Ａがポート部１２０に形成した抜止め凸部１２４により構成される外径とほぼ同径となる開口径とする深さを以って形成する。係合凹部１１は、開口部３Ａから、後述する係止凸部１２の厚みとポート部１２０の抜止め凸部１２４の厚みよりもやや大きな深さ（高さ）を以って肉厚部３Ｂの内面に形成される。係合凹部１１は、ポートキャップ体１をポート部１２０に装着する際に、抜止め凸部１２４が開口部３Ａで係止されることなく嵌合孔４内へと嵌合されるようにする。
第２の保持構造６は、係止凸部１２が、係合凹部１１の天井面（開口部３Ａと対向する面）に対してポート部１２０の抜止め凸部１２４の厚みとほぼ等しい対向間隔を以って対向するリブ状凸部として肉厚部３Ｂの内面に円周方向に並んで一体に形成される。第２の保持構造６は、係止凸部１２を形成することにより、係合凹部１１の内周面により構成する嵌合孔４の内径をポート部１２０の外周部１２３の外径とほぼ同径とする。なお、係止凸部１２については、型抜き構造上、複数個に分割して形成したが、円弧状の凸壁として一体に形成することも可能である。
係止凸部１２は、肉厚部３Ｂの内面からの突出量が係合凹部１１の深さ量、換言すればポート部１２０の抜止め凸部１２４の突出量よりも大きくして形成される。係止凸部１２は、これによりポート部１２０に対してポートキャップ体１を装着した状態において抜止め凸部１２４と大きな重ね合わせ代が確保されるようにしてポートキャップ体１が確実に保持されるようにする。
【００１８】
第２の保持構造６は、図５に示すように肉厚部３Ｂの内面において中心対称の２位置、換言すればポート部１２０に形成した一対の抜止め凸部１２４に対応する２位置おいて係止凸部１２を形成せずに、係合凹部１１が開口部３Ａに直接開放されるようにする。第２の保持構造６は、開口部３Ａに開放される係合凹部１１の周方向の長さを、抜止め凸部１２４の周方向の長さよりもやや大きく形成する。第２の保持構造６は、ポートキャップ体１がポート部１２０に対して、上述した係止凸部１２が形成されずに係合凹部１１が開口部３Ａに直接開放された部位に抜止め凸部１２４を相対させて押込み操作が行われる。第２の保持構造６は、嵌合孔４内にポート部１２０の抜止め凸部１２４が嵌合することを可能とする。
第２の保持構造６は、ポートキャップ体１がポート部１２０に対して蓋体部２の内面２Ａに外周部１２３の先端開口縁１２２が突き当たった位置において、係止凸部１２が抜止め凸部１２４の底面側に位置する。第２の保持構造６は、ポートキャップ体１がポート部１２０に対して所定角度の回動操作が行われることにより、係止凸部１２が抜止め凸部１２４の底面に回り込んで係止される。第２の保持構造６は、抜止め凸部１２４により係止凸部１２を係止することにより、ポートキャップ体１をポート部１２０に対して抜け止めした状態で装着されるようにする。
【００１９】
第２の保持構造６は、図４及び図５に示すように係合凹部１１を形成して薄肉となった肉厚部３Ｂに、係止凸部１２を周方向に切り分けるようにして開口部３Ａに開放された軸方向のスリット１３を形成する。第２の保持構造６は、係止凸部１２を上述した突出量を以って形成することにより、係止凸部１２の内周縁がポート部１２０の外周部１２３よりも小径となる。第２の保持構造６は、ポート部１２０に対してポートキャップ体１を押込み操作することにより、外周筒部３の開口部３Ａにおいて、スリット１３により切り分けられた部位が外方に向かって弾性変位して拡径することが可能となり、係止凸部１２が外周部１２３の外周面上に乗り上げ可能となる。
第２の保持構造６は、係止凸部１２が、ポート部１２０の外周部１２３上に乗り上がって外周部１２３に圧接して弾性力を蓄勢する。第２の保持構造６は、係止凸部１２が、係止された抜止め凸部１２４に対して図６矢印ｂで示すように蓄勢された弾性力を作用させる。第２の保持構造６は、ポートキャップ体１側から作用された弾性力が、あたかもポート部１２０を押し上げる軸方向の力として作用する。第２の保持構造６は、この弾性力の反作用力が、蓋体部２の内面２Ａをポート部１２０の先端開口縁１２２に押し付ける方向に作用される。第２の保持構造６は、上述した先端開口縁１２２に対する突当て凸部７の線接触による突き当て状態がより確実に保持されるようにしてポート部１２０の密封が行われる。
【００２０】
以上のように構成したポートキャップ体１においては、ポート部１２０に対して、その先端開口縁１２２側から外周部１２３を嵌合孔４内に嵌合させることにより装着される。ポートキャップ体１においては、内周係合部８と外周係合部９を有する第１の保持構造５によりポート部１２０の外周部１２３の先端部位を保持し、係合凹部１１と係止凸部１２を有する第２の保持構造６によりポート部１２０からの脱落が防止される。
ポートキャップ体１は、外周筒部３の開口部３Ａ側から嵌合孔４内にポート部１２０を嵌合して押し込み操作が行われる。ポートキャップ体１においては、内周係合部８が、図６に示すように弾性変位部８Ｃが収斂しながら流路１２１内に進入して圧入状態で係合するとともに、蓋体部２の内面２Ａに外周部１２３の先端開口縁１２２が突き当たった位置において、係合部８Ｂがポート部１２０の係合段部１２５Ａと相対係合する。ポートキャップ体１においては、内周係合部８が、同図矢印ａで示すように係合部８Ｂと係合段部１２５Ａの係合状態が弾性変位部８Ｃに蓄勢された弾性力により保持され、ポート部１２０の先端部位１２５に対して内側から弾性力を作用させる。
ポートキャップ体１においては、外周係合部９が、図６に示すようにポート部１２０の先端部位１２５の外周に嵌合する。ポートキャップ体１においては、内周係合部８と外周係合部９との間でポート部１２０の先端部位１２５を挟み込むことにより、装着状態が保持されるようにする。
【００２１】
ポートキャップ体１においては、係止凸部１２が形成されずに係合凹部１１が開口部３Ａに直接開放された部位に抜止め凸部１２４を相対させる。ポートキャップ体１においては、ポート部１２０に対して蓋体部２の内面２Ａに外周部１２３の先端開口縁１２２が突き当た位置において係止凸部１２が抜止め凸部１２４の底面側に位置し、所定角度の回動操作が行われて係止凸部１２が抜止め凸部１２４の底面に回り込んで係止される。ポートキャップ体１においては、スリット１３により係止凸部１２と外周筒部３の開口部位に開口縁部位に拡径特性と弾性力の蓄勢特性を付与されることにより、係止凸部１２と抜止め凸部１２４が大きな重ね合わせ代を以って係合することが可能であるとともに、ポート部１２０に対して軸方向の弾性力を作用させる。
ポートキャップ体１においては、内周係合部８と外周係合部９との間の環状領域１０において、突当て凸部７の円弧状頂点部がポート部１２０の先端開口縁１２２に対していわゆる線接触の状態で全周に亘って突き当たる。ポートキャップ体１においては、突当て凸部７の小さなリブ状凸部の構成と第２の保持構造６側から作用される弾性力により、突当て凸部７が隙間を生じることなく先端開口縁１２２に突き当たってポート部１２０を全域に亘って密封する。
ポートキャップ体１においては、ポート部１２０に簡易な操作によって着脱されるとともに、装着した状態が確実に保持される。ポートキャップ体１においては、水漏れ等を生じることなくポート部１２０を精密に密封することが可能であり、ポート部１２０に対する保護作用等を確実に奏する。
なお、本発明は、上述した実施の形態として示したポートキャップ体１に限定されるものでは無く、特許請求の範囲及びその主旨を逸脱することなく、構成要件について様々な変更、置換が行われることは勿論である。
【符号の説明】
【００２２】
１  ポートキャップ体（密封キャップ体）、２  蓋体部、２Ａ  内面、３  外周筒部、３Ａ  開口部、４  嵌合孔、５  第１の保持構造（蓋体部保持構造）、６  第２の保持構造（外周筒部保持構造）、７  突当て凸部、８  内周係合部、９  外周係合部、１０  環状領域、１１  係合凹部、１２  係止凸部、１３  スリット、１００  透析装置、１０２  ダイアライザー、１０５  容器本体、１２０  ポート部、１２１  流路、１２２  先端開口縁、１２３  外周部、１２４  抜止め凸部
【図１】
2011160926.tif 000003
【図２】
2011160926.tif 000004
【図３】
2011160926.tif 000005
【図４】
2011160926.tif 000006
【図５】
2011160926.tif 000007
【図６】
2011160926.tif 000008
【図７】
2011160926.tif 000009
【図８】
2011160926.tif 000010
【図９】
2011160926.tif 000011